(57)【要約】【課題】圧接端子が損傷されることを防止することができる電線と圧接端子との接続構造を提供すること。【解決手段】電線Ｗと、圧接溝８１の溝内側面を構成し、根元８２ａ位置の溝底から溝入口開口まで延びる一対の圧接刃８２を有してなる圧接端子８０と、圧接端子８０が保持される端子保持部１００とを有してなり、圧接溝８１内に電線Ｗが圧入されることによって、電線Ｗと圧接端子８０とが電気的に接続される電線と圧接端子との接続構造１において、圧接端子８０は、根元８２ａにて両側面８２ｂから突起されてなる一対の突起部８３を有してなり、端子保持部１００は、電線Ｗが圧接溝８１内に圧入されることによって一対の圧接刃８２が開くよう変形された場合、一対の圧接刃８２が開くことを阻止するように前記一対の突起部８３の各突起部８３が当接される当接面１２１ａを含む一対の圧接刃拡開規制部１２０、を有してなる。【選択図】図５
2014127254.tif 000002
【特許請求の範囲】
【請求項１】
電線と、圧接溝の溝内側面を構成し、根元位置の溝底から溝入口開口まで延びる一対の圧接刃を有してなる圧接端子と、該圧接端子が保持される端子保持部とを有してなり、前記圧接溝内に前記電線が圧入されることによって、前記電線と前記圧接端子とが電気的に接続される電線と圧接端子との接続構造において、
前記圧接端子は、
前記根元にて両側面から突起されてなる一対の突起部を有してなり、
前記端子保持部は、
前記電線が前記圧接溝内に圧入されることによって前記一対の圧接刃が開くよう変形された場合、前記一対の圧接刃が開くことを阻止するように前記一対の突起部の各突起部が当接される当接面を含む一対の圧接刃拡開規制部、
を有してなることを特徴とする電線と圧接端子との接続構造。
【請求項２】
前記一対の圧接刃拡開規制部の各圧接刃拡開規制部は、
前記圧接端子の前記側面に沿って前記圧接刃の刃先とは逆方向に向けて延びるように形成された面であり前記圧接端子のガタツキを防止するガタツキ防止面
を有してなることを特徴とする請求項１に記載の電線と圧接端子との接続構造。
【請求項３】
前記圧接端子は、
前記圧接刃の刃先とは逆方向に向けて前記根元から所定間隔を空けた位置に前記端子保持部に固定される部分となる固定部が設けられ、前記一対の圧接刃の刃先から前記固定部近傍位置まで前記両側面が直線状に形成されてなり、
前記各突起部は、
前記側面に直交するように形成されてなる直交面を有してなり、
前記各圧接刃拡開規制部は、
前記当接面が前記直交面に当接され、かつ前記ガタツキ防止面が前記側面に沿って直線的に延びるように形成されてなることを特徴とする請求項２に記載の電線と圧接端子との接続構造。
【発明の詳細な説明】
【技術分野】
【０００１】
本発明は、電線が圧接端子に圧接されることによって電線と圧接端子とが接続される電線と圧接端子との接続構造に関する。
【背景技術】
【０００２】
従来、電線と端子との接続構造は、電線が圧接端子に圧接されることによって電線と圧接端子とが接続されるようになっている。このような電線と端子との接続構造は、圧接端子の圧接溝内に電線が圧入されることによって電線の導体部としての芯線の外周を覆う絶縁被覆部が剥がれ、露出された芯線に圧接溝の溝内側面を構成する一対の圧接刃が接続される。例えば、特許文献１には、屈曲された状態で電線が保持される屈曲電線保持部を有し、屈曲電線保持部の表面から圧接端子に向けられる側の端面を通って背面側に折り返すようにして屈曲された電線の屈曲部が圧接端子に圧接されることによって電線と圧接端子とが接続される電線と圧接端子との接続構造が記載されている。
【先行技術文献】
【特許文献】
【０００３】
【特許文献１】特開２００４−１６５０５５号公報
【発明の概要】
【発明が解決しようとする課題】
【０００４】
しかしながら、特許文献１に記載された電線と圧接端子との接続構造は、圧接端子に電線が圧接されると、一対の圧接刃が互いの間隔を広げる方向に荷重が加わることによって、圧接刃の根元周辺に応力がかかるため、圧接端子が高温になると圧接刃の根元周辺に割れ、あるいは座屈が発生し、結果的に圧接端子が損傷されるおそれがあった。
【０００５】
本発明は、上記に鑑みてなされたものであって、圧接端子が損傷されることを防止することができる電線と圧接端子との接続構造を提供することを目的とする。
【課題を解決するための手段】
【０００６】
上述した課題を解決し、目的を達成するために、本発明の請求項１に係る電線と圧接端子との接続構造は、電線と、圧接溝の溝内側面を構成し、根元位置の溝底から溝入口開口まで延びる一対の圧接刃を有してなる圧接端子と、該圧接端子が保持される端子保持部とを有してなり、前記圧接溝内に前記電線が圧入されることによって、前記電線と前記圧接端子とが電気的に接続される電線と圧接端子との接続構造において、前記圧接端子は、前記根元にて両側面から突起されてなる一対の突起部を有してなり、前記端子保持部は、前記電線が前記圧接溝内に圧入されることによって前記一対の圧接刃が開くよう変形された場合、前記一対の圧接刃が開くことを阻止するように前記一対の突起部の各突起部が当接される当接面を含む一対の圧接刃拡開規制部、を有してなることを特徴とする。
【０００７】
また、本発明の請求項２に係る電線と圧接端子との接続構造は、上記の発明において、前記一対の圧接刃拡開規制部の各圧接刃拡開規制部は、前記圧接端子の前記側面に沿って前記圧接刃の刃先とは逆方向に向けて延びるように形成された面であり前記圧接端子のガタツキを防止するガタツキ防止面を有してなることを特徴とする。
【０００８】
また、本発明の請求項３に係る電線と圧接端子との接続構造は、上記の発明において、前記圧接端子は、前記圧接刃の刃先とは逆方向に向けて前記根元から所定間隔を空けた位置に前記端子保持部に固定される部分となる固定部が設けられ、前記一対の圧接刃の刃先から前記固定部近傍位置まで前記両側面が直線状に形成されてなり、前記各突起部は、前記側面に直交するように形成されてなる直交面を有してなり、前記各圧接刃拡開規制部は、前記当接面が前記直交面に当接され、かつ前記ガタツキ防止面が前記側面に沿って直線的に延びるように形成されてなることを特徴とする。
【発明の効果】
【０００９】
本発明の請求項１に係る電線と圧接端子との接続構造は、前記電線が前記圧接溝内に圧入されることによって前記一対の圧接刃が開くよう変形された場合、前記一対の圧接刃が開くことを阻止するように前記一対の突起部の各突起部が当接されるように圧接刃拡開規制部が機能されるので、前記圧接刃の根元周辺に応力がかかることが抑制され、前記圧接刃の根元周辺に割れ、あるいは座屈が発生することが防止され、結果的に圧接端子が損傷されることを防止することができる。
【００１０】
本発明の請求項２に係る電線と圧接端子との接続構造は、前記ガタツキ防止面が前記圧接端子の前記側面に沿って前記圧接刃の刃先とは逆方向に向けて延びるように形成されているので、前記圧接端子を両側面から安定的に保持することができ、結果的に圧接端子のガタツキを防止することができる。
【００１１】
本発明の請求項３に係る電線と圧接端子との接続構造は、前記当接面と、前記ガタツキ防止面とが互いに直交するので、前記圧接端子を前記端子保持部に取り付ける場合、前記当接面と、前記ガタツキ防止面を基準として容易に位置決め配置することができる。
【図面の簡単な説明】
【００１２】
【図１】図１は、本発明の実施例に係る電線と圧接端子との接続構造が組み込まれた照明装置の分解斜視図である。
【図２】図２は、図（ａ）が図１に示した照明装置のコネクタ受け部周辺の拡大図であり、図（ｂ）が図（ａ）の側面図である。
【図３】図３は、図１に示した圧接コネクタの拡大図である。
【図４】図４は、図３に示した圧接コネクタの分解斜視である。
【図５】図５は、図１に示した圧接端子の拡大図である。
【図６】図６は、圧接コネクタの組み立て手順を示した図である。
【図７】図７は、圧接コネクタの組み立て手順を示した図である。
【図８】図８は、圧接コネクタの組み立て手順を示した図である。
【図９】図９は、圧接コネクタをハウジングに組み付ける手順を斜視図にて示したものである。
【図１０】図１０は、図９（ｂ）のコネクタ受け部周辺を拡大して示した図である。
【図１１】図１１は、圧接コネクタをハウジングに組み付ける前の状態を側面図で示したものである。
【図１２】図１２は、圧接コネクタをハウジングに組み付ける手順を側面図および上面図を用いて示したものである。
【図１３】図１３は、圧接コネクタをハウジングに組み付ける手順を側面図および上面図を用いて示したものである。
【図１４】図１４は、電線が圧接端子の圧接溝内に圧入される場合、一対の圧接刃が開くことを阻止するように圧接刃拡開規制部が機能されることを説明するための図である。
【発明を実施するための形態】
【００１３】
以下、図面を参照して、本発明に係る電線と圧接端子との接続構造の好適な実施例を詳細に説明する。
図１は、本発明の実施例に係る電線と圧接端子との接続構造１が組み込まれた照明装置２００の分解斜視図である。図２は、図（ａ）が図１に示した照明装置２００のコネクタ受け部９１周辺の拡大図であり、図（ｂ）が図（ａ）の側面図である。図３は、図１に示した圧接コネクタ４０の拡大図である。図４は、図３に示した圧接コネクタ４０の分解斜視である。図５は、図１に示した圧接端子８０の拡大図である。
本発明の実施例に係る電線と圧接端子との接続構造１は、例えば、自動車の室内天井に配置される照明装置２００に組み込まれるものであり、照明装置２００の外部にある不図示の電源に接続される電線Ｗと、照明装置内に組み込まれ、電源供給端子として機能される圧接端子８０との接続構造である。
この電線と圧接端子との接続構造１は、４本の電線Ｗと、圧接溝８１の溝内側面を構成し、溝底から溝入口開口まで延びる一対の圧接刃８２を有してなる４つの圧接端子８０と、各圧接端子８０が保持される端子保持部１００とを有してなり、各圧接端子８０の圧接溝８１内に各電線Ｗが圧入されることによって、電線Ｗと圧接端子８０とが電気的に接続されるものである。
以下、照明装置２００の構成を説明しつつ、その照明装置２００に組み込まれる電線と圧接端子との接続構造１について説明する。
【００１４】
照明装置２００は、図１に示すように、光が照射される側の面を形成するとともに集光機能を有してなるレンズ１０と、光源としてのバルブ２０と、照明装置２００の操作部分となるスイッチ操作部３０と、不図示の電源に接続される４本の電線Ｗを保持し、各電線Ｗを圧接端子８０に圧接させる圧接コネクタ４０と、圧接端子８０を含む導電路を形成するバスバー７０と、照明装置２００の各種部品が組み込まれるハウジング９０と、を有してなる。
【００１５】
まず、スイッチ操作部３０について説明する。
スイッチ操作部３０は、バルブ２０の点灯消灯を切替え操作するための操作部であり、この実施例では動作モードに応じた３つのスイッチ操作部３０が設けられるようになっている。各スイッチ操作部３０は、図１に示すように、コンタクト３１を介してバスバー７０に接続されるようになっている。
【００１６】
次に、圧接コネクタ４０について説明する。
圧接コネクタ４０は、電線Ｗが屈曲された状態で保持される屈曲電線保持部５０と、屈曲電線保持部５０のハウジング９０への取り付け、および取り外しの移動を操作する部分となる操作レバー６０と、を有してなる。
【００１７】
屈曲電線保持部５０は、４本の電線Ｗが屈曲電線保持部５０の表面から圧接端子側の端面を通って背面側に折り返すようにして屈曲された状態で保持されるようになっている。より具体的には、屈曲電線保持部５０は、略直方体形状の電線保持本体部５０aを有し、この電線保持本体部５０ａの表面から圧接端子８０側の端面を通って背面に折り返すように延びるとともに溝５０ｂ内に各電線Ｗが保持されるようになっている。
【００１８】
また、屈曲電線保持部５０は、電線保持本体部５０ａの両側面に突設されてなる一対のカム軸５１と、一対のスライドガイド軸５２と、を有してなる。
各カム軸５１は、操作レバー６０に形成された後述する各カム溝６２に嵌め込まれることによって、操作レバー６０が回動操作された場合、カム溝６２の溝内縁面に摺接されながら移動されるようになっている。
また、各スライドガイド軸５２は、操作レバー６０に形成された後述する各スライドガイド溝６３に嵌め込まれることによって、操作レバー６０が回動操作された場合、スライドガイド溝６３の溝内縁面に摺接されながら移動されるようになっている。
【００１９】
操作レバー６０は、屈曲電線保持部５０の両側部の外側に位置される一対のレバー側壁部６１ａ、および操作面を形成するレバー操作壁部６１ｂを有してなる横断面コの字状のレバー本体部６１を有してなる。
各レバー側壁部６１ａには、屈曲電線保持部５０に設けられた各カム軸５１が嵌め込まれるカム溝６２と、および各スライドガイド軸５２が嵌め込まれるスライドガイド溝６３と、操作レバー６０の回動動作の支点となる一対の回動軸６４とが設けられている。
【００２０】
回動軸６４は、断面半円状の円弧部分を形成する曲面部６４ａと、直線部分を形成する平面部６４ｂとを有してなり、曲面部６４ａがハウジング９０の後述する曲面受け部９２に摺接されながら操作レバー６０が回動され、平面部６４ｂがハウジング９０の後述する回動規制突出壁部９２ｂに当接されることによって操作レバー６０の回動動作が規制されるようになっている。
また、各レバー側壁部６１ａには、ロック用突起６５が設けられ、各ロック用突起６５がハウジング９０に形成された後述する各ロック開口部９３に嵌め込まれることによって、圧接コネクタ４０がハウジング９０に固定されるようになっている。
【００２１】
このような圧接コネクタ４０は、圧接コネクタ４０をハウジング９０に取り付けるために操作レバー６０が回動操作された場合、各カム軸５１が各カム溝６２に摺接され、各スライドガイド軸５２が各スライドガイド溝６３に摺接され、さらに屈曲電線保持部５０の底面がハウジング９０の摺接面部９４ｂに摺接されながら屈曲電線保持部５０が圧接端子８０に向けてスライド移動されるようになっている。
すなわち、屈曲電線保持部５０は、操作レバー６０の回動操作によって、回動軸６４が支点となり、レバー操作壁部６１ｂが力点となり、カム溝６２が作用点となって梃子の原理が作用し、操作レバー６０の各カム溝６２を介して屈曲電線保持部５０の各カム軸５１に伝達された力がカム機構の作用によって屈曲電線保持部５０が摺接面部９４ｂに摺接されながら圧接端子８０に向けてスライド移動される力に変換されるようになっている。
なお、屈曲電線保持部５０は、各スライドガイド軸５２と各スライドガイド溝６３とによって作用されるガイド機能、および後述する囲い状ガイド壁部９４ｃによって作用されるガイド機能によって操作レバー６０に対して回転されないように圧接端子８０に向けてスライド移動されるようになっている。
【００２２】
次に、バスバー７０について説明する。
バスバー７０は、導電性を有する金属板をプレス装置等によって所定形状に抜き打ち、折り曲げ加工を施すことによって形成される導電回路体である。このバスバー７０は、複数箇所に貫通された孔からなる固定部７１が形成されてなり、ハウジング９０の複数箇所に設けられた溶着ピン９５が各固定部７１の孔内に挿通され、溶着されることによってハウジング９０に対して位置決め固定されるようになっている。
このようなバスバー７０は、屈曲電線保持部５０によって保持された４本の電線Ｗが圧接される圧接端子８０が各電線Ｗの並び位置に対応して４箇所に設けられている。
【００２３】
各圧接端子８０は、圧接溝８１内に電線Ｗが圧入されることによって電線Ｗの導体部としての芯線Ｗｃ（図３参照）の外周を覆う絶縁被覆部Ｗｄが剥がれ、露出された芯線Ｗｃに圧接溝８１の溝内側面を構成する一対の圧接刃８２が接続されることによって各電線Ｗが圧接されるようになっている。
【００２４】
また、各圧接端子８０は、圧接刃８２の刃先とは逆方向に向けて圧接刃８２の根元８２ａから所定間隔を空けた位置に端子保持部１００に固定される部分となる固定部７１が設けられ、一対の圧接刃８２の刃先から固定部７１近傍位置まで両側面８２ｂが直線状に形成されている。
【００２５】
各圧接端子８０は、一対の圧接刃８２の根元８２ａにて両側面８２ｂから突起されてなる一対の突起部８３を有してなる。
各突起部８３は、側面８２ｂに直交するように形成されてなる直交面８３ａを有してなる。
【００２６】
次に、ハウジング９０について説明する。
ハウジング９０は、合成樹脂材からなり、照明装置２００の上述した各種部品が組み込まれるようになっている。
このハウジング９０は、圧接コネクタ４０が電線Ｗを圧接端子８０に接続させた状態で保持されるコネクタ受け部９１、および圧接端子８０が保持される端子保持部１００を有してなる。
【００２７】
コネクタ受け部９１は、図２に示すように、圧接コネクタ４０の操作レバー６０に設けられた一対の回動軸６４が軸支される一対の軸受け部９２と、圧接コネクタ４０を取り付け完了位置にて固定する一対のロック開口部９３と、圧接コネクタ４０の取り付けのための移動をガイドするガイド壁部９４とを有してなる。
【００２８】
一対の軸受け部９２は、圧接コネクタ４０の操作レバー６０に設けられた一対の回動軸６４を回動自在に支持する部分である。
各軸受け部９２は、ハウジング９０の上面から柱状に突設され、回動軸６４の曲面部６４ａが摺接される曲面受け部９２ａと、回動軸６４の平面部６４ｂが当接されることによって操作レバー６０の回動動作を規制する回動規制突出壁部９２ｂと、を有してなる。
【００２９】
一対のロック開口部９３は、電線Ｗが圧接端子８０に圧接完了された状態で圧接コネクタ４０を固定するためのものである。各ロック開口部９３は後述するコネクタ端部ガイド壁部９４ａの上端部に形成された開口であり、操作レバー６０に設けられた各ロック用突起６５が操作レバー６０の回動操作完了位置にて、各ロック用突起６５に嵌め込まれることによって、圧接コネクタ４０がハウジング９０に固定されるようになっている。
【００３０】
ガイド壁部９４は、回動軸６４が設けられる側とは逆側の圧接コネクタ４０の端部を間に配置するようにハウジング９０の上面から板状に突設された壁からなる一対のコネクタ端部ガイド壁部９４ａと、屈曲電線保持部５０の背面が摺接される平面状の摺接面部９４ｂと、屈曲電線保持部５０が圧接端子８０に向けてスライド移動されるように圧接コネクタ４０の両側部および上面を囲うように摺接面部９４ｂに立設されてなる囲い状ガイド壁部９４ｃと、を有してなる。
【００３１】
端子保持部１００は、４つの圧接端子８０が固定される部分となる４つの端子固定部１１０と、各圧接端子８０の一対の圧接刃８２が開くことを阻止するように対で設けられた圧接刃拡開規制部１２０とを有してなる。
各端子固定部１１０は、ハウジング９０の上面から柱状に突設され、その上面に溶着ピンが設けられ、この溶着ピンが圧接端子８０の固定部７１の孔に挿通され溶着されることによって圧接端子８０が固定されるようになっている。
【００３２】
各圧接端子８０に対応して対で設けられた圧接刃拡開規制部１２０は、ハウジング９０の上面から柱状に突設され、かつ当接面１２１ａおよびガタツキ防止面１２１ｂが形成されてなる柱状突起部１２１を有してなる。
【００３３】
当接面１２１ａは、電線Ｗが圧接溝８１内に圧入されることによって一対の圧接刃８２が開くよう変形された場合、一対の圧接刃８２が開くことを阻止するように一対の突起部８３の各突起部８３が当接される面である。各当接面１２１ａは、より具体的には、各突起部８３の直交面８３ａに当接されるようになっている。
【００３４】
ガタツキ防止面１２１ｂは、圧接端子８０の側面８２ｂに沿って圧接刃８２の刃先とは逆方向に向けて延びるように形成された面であり、圧接端子８０のガタツキを防止するようになっている。この実施例では、ガタツキ防止面１２１ｂは、圧接端子８０の側面８２ｂに沿って直線的に延びるように形成されてなる。
なお、この実施例では、圧接端子８０の間に配置される柱状突起部１２１は、両側に位置される各圧接端子８０に対応した当接面１２１ａおよびガタツキ防止面１２１ｂが形成されてなる。
【００３５】
次に、図６−図８を用いて圧接コネクタ４０の組み立て手順を説明する。
図６−図８は、圧接コネクタ４０の組み立て手順を示した図である。
この作業は、屈曲電線保持部５０への電線Ｗの取り付け作業を補助するための冶具である冶具図板３００を用いて行われる。この冶具図板３００は、板状の作業台３１０の上面に棒状に突設され、電線Ｗが屈曲されながら配索される複数の配索ガイド棒３２０と、屈曲電線保持部５０を所定位置にて固定するための固定セット部３３０とを有してなる。
【００３６】
まず、作業者は、屈曲電線保持部５０を圧接端子８０側の端面が上向きになるように固定セット部３３０にセットする（図６参照）。これにより、各電線Ｗが屈曲電線保持部５０の圧接端子８０側の端面側から各溝５０ｂ内に嵌め込まれることができるように屈曲電線保持部５０が作業台３１０上に固定される。
【００３７】
その後、作業者は、各電線Ｗを屈曲電線保持５０の各溝５０ｂに嵌め込む（図７参照）。この作業では、各電線Ｗが配索ガイド棒３２０にて屈曲され、張力が調整された状態で各溝５０ｂ内に嵌め込まれる。また、各電線Ｗが屈曲電線保持部５０の端面から各溝５０ｂ内に嵌め込まれることによって、屈曲電線保持部５０の表面から端面を通って背面側に折り返すようにして屈曲された状態で各電線Ｗが屈曲電線保持部５０に取り付けられる。
【００３８】
その後、作業者は、電線Ｗが取り付けられた屈曲電線保持部５０を冶具図板３００から取り外した後、折り返された電線Ｗの端末部にてテープＴによって４本の電線Ｗを束ねる（図８（ｅ）参照）。
【００３９】
最後に、作業者は、操作レバー６０を屈曲電線保持部５０に取り付けることによって圧接コネクタ４０の組み立て作業を完了させる（図８（ｆ）参照）。この作業は、一対のレバー側壁部６１ａの間隔を広げるようにして各レバー側壁部６１ａを撓ませながら、各カム軸５１を各カム溝６２に嵌め込み、各スライドガイド軸５２を各スライドガイド溝６３に嵌め込むことによって行われる。
【００４０】
次に、図９−図１３を用いて圧接コネクタ４０をハウジング９０に組み付ける手順について説明する。
図９は、圧接コネクタ４０をハウジング９０に組み付ける手順を斜視図にて示したものである。図１０は、図９（ｂ）のコネクタ受け部９１周辺を拡大して示した図である。図１１は、圧接コネクタ４０をハウジング９０に組み付ける前の状態を側面図で示したものである。図１２および図１３は、圧接コネクタ４０をハウジング９０に組み付ける手順を側面図および上面図を用いて示したものである。なお、図１２および図１３は、左の側面図と右の上面図とが同一の組み付け状態を示している。図１４は、電線Ｗが圧接端子８０の圧接溝８１内に圧入される場合、一対の圧接刃８２が開くことを阻止するように圧接刃拡開規制部１２０が機能されることを説明するための図である。
【００４１】
まず、作業者は、圧接コネクタ４０の一対の回動軸６４を各軸受け部９２にセットする（図９（ｂ），図１０，図１２（ａ）参照）。この作業では、各回動軸６４の曲面部６４ａが各曲面受け部９２ａに載置され、各曲面受け部９２ａによって各回動軸６４が回動可能に支えられるとともに、屈曲電線保持部５０が摺接面部９４ｂ上に載置された状態となる。
【００４２】
その後、作業者は、操作レバー６０の回動操作を開始することによって、屈曲電線保持部５０を圧接端子８０に向けて移動開始させる（図１２（ｂ）参照）。この作業では、操作レバー６０の回動操作によって、屈曲電線保持部５０が梃子の原理、およびカム機構を利用して圧接端子８０に向けてスライド移動開始される。
【００４３】
その後、作業者は、さらに操作レバー６０の回動操作を続け、一対のロック用突起６５を各ロック開口部９３に嵌め込むことによって、圧接コネクタ４０をハウジング９０に組み付ける作業を完了させる（図９（ｃ），図１２（ｃ）参照）。この作業によって、屈曲電線保持部５０に保持された各電線Ｗが各圧接端子８０に圧接完了される。
ここで、各電線Ｗが各圧接端子８０の圧接溝８１内に圧入されることによって一対の圧接刃８２が開くよう変形された場合、図１４に示すように、一対の圧接刃８２が開くことを阻止するように一対の突起部８３が当接される。
【００４４】
本発明の実施例に係る電線と圧接端子との接続構造１は、電線Ｗが圧接溝８１内に圧入されることによって一対の圧接刃８２が開くよう変形された場合、一対の圧接刃８２が開くことを阻止するように一対の突起部８３の各突起部８３が当接されるように圧接刃拡開規制部１２０が機能されるので、圧接刃８２の根元８２ａ周辺に応力がかかることが抑制され、圧接刃８２の根元８２ａ周辺に割れ、あるいは座屈が発生することが防止され、結果的に圧接端子８０が損傷されることを防止することができる。
【００４５】
また、本発明の実施例に係る電線と圧接端子との接続構造１は、ガタツキ防止面１２１ｂが圧接端子８０の側面８２ｂに沿って圧接刃８２の刃先とは逆方向に向けて延びるように形成されているので、圧接端子８０を両側面８２ｂから安定的に保持することができ、結果的に圧接端子８０のガタツキを防止することができる。
【００４６】
また、本発明の実施例に係る電線と圧接端子との接続構造１は、当接面１２１ａと、ガタツキ防止面１２１ｂとが互いに直交するので、圧接端子８０を端子保持部１００に取り付ける場合、当接面１２１ａと、ガタツキ防止面１２１ｂを基準として容易に位置決め配置することができる。
【００４７】
なお、本発明の実施例に係る電線と圧接端子との接続構造１は、４本の電線Ｗが圧接端子８０に圧接されるものを例示したが、電線Ｗの本数はこれに限らない。すなわち１本以上の電線Ｗが圧接端子８０に圧接されるようになっていればよい。
【００４８】
また、本発明の実施例に係る電線と圧接端子との接続構造１は、屈曲電線保持部５０が操作レバー６０によって移動操作されることによって、電線Ｗが圧接端子８０に圧接されものを例示したが、これに限らず、操作レバー６０を用いないものであっても構わない。すなわち、作業者が直接的に屈曲電線保持部５０を圧接端子８０に向けて押しこむことによって、電線Ｗが圧接端子８０に圧接されるようにしても構わない。
【００４９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５０】
１        電線と圧接端子との接続構造
１０      レンズ
２０      バルブ
３０      スイッチ操作部
３１      コンタクト
４０      圧接コネクタ
５０      屈曲電線保持部
５０ａ    電線保持本体部
５０ｂ    溝
５１      カム軸
５２      スライドガイド軸
６０      操作レバー
６１      レバー本体部
６１ａ    レバー側壁部
６１ｂ    レバー操作壁部
６２      カム溝
６３      スライドガイド溝
６４      回動軸
６４ａ    曲面部
６４ｂ    平面部
６５      ロック用突起
７０      バスバー
７１      固定部
８０      圧接端子
８１      圧接溝
８２      圧接刃
８２ａ    根元
８２ｂ    側面
８３      突起部
８３ａ    直交面
９０      ハウジング
９１      コネクタ受け部
９２      軸受け部
９２ａ    曲面受け部
９２ｂ    回動規制突出壁部
９３      ロック開口部
９４      ガイド壁部
９４ａ    コネクタ端部ガイド壁部
９４ｂ    摺接面部
９４ｃ    囲い状ガイド壁部
９５      溶着ピン
１００    端子保持部
１１０    端子固定部
１２０    圧接刃拡開規制部
１２１    柱状突起部
１２１ａ  当接面
１２１ｂ  ガタツキ防止面
２００    照明装置
３００    冶具図板
３１０    作業台
３２０    配索ガイド棒
３３０    固定セット部
Ｗ        電線
Ｗｃ      芯線
Ｗｄ      絶縁被覆部
Ｔ        テープ
【図１】
2014127254.tif 000003
【図２】
2014127254.tif 000004
【図３】
2014127254.tif 000005
【図４】
2014127254.tif 000006
【図５】
2014127254.tif 000007
【図６】
2014127254.tif 000008
【図７】
2014127254.tif 000009
【図８】
2014127254.tif 000010
【図９】
2014127254.tif 000011
【図１０】
2014127254.tif 000012
【図１１】
2014127254.tif 000013
【図１２】
2014127254.tif 000014
【図１３】
2014127254.tif 000015
【図１４】
2014127254.tif 000016